(57)【要約】【課題】  長寿命化し、かつ、負荷状態の変動による影響が抑えられた、すなわちちらつきの少ない照明装置を提供する。【解決手段】  商用の交流電源によって照明する照明装置であって、複数の第１の発光ダイオードを有し、交流電源から受けた交流電力を用いてこの複数の第１の発光ダイオードを点灯させる第１の発光部４１と、第１の発光部とは並列に接続された第２の発光部４２であって、複数の第２の発光ダイオードと、交流電源から受けた交流電力の位相を変化させ、位相が変化した交流電力をこの第２の発光ダイオードに向けて出力する移相器Ｃ１とを有する第２の発光部とを備えたことを特徴とする。【選択図】        図６
2011171116.tif 000002
【特許請求の範囲】
【請求項１】
商用の交流電源によって照明する照明装置であって、
複数の第１の発光ダイオードを有し、前記交流電源から受けた交流電力を用いて該複数の第１の発光ダイオードを点灯させる第１の発光部と、
前記第１の発光部とは並列に接続された第２の発光部であって、複数の第２の発光ダイオードと、前記交流電源から受けた交流電力の位相を変化させ、位相が変化した交流電力を該第２の発光ダイオードに向けて出力する移相器とを有する第２の発光部とを備えたことを特徴とする照明装置。
【請求項２】
前記第１の発光部は、前記交流電源の交流電力を脈流電力に変換して前記複数の第１の発光ダイオードに向けて供給する第１の整流回路を備えたものであり、
前記第２の発光部は、前記移相器によって位相が変化した交流電力を脈流電力に変換して前記複数の第２の発光ダイオードに向けて供給する第２の整流回路を備えたものであることを特徴とする請求項１記載の照明装置。
【請求項３】
前記複数の第１の発光ダイオードは、互いに直列接続されたものであり、
前記複数の第２の発光ダイオードは、所定数ごとに直列接続された複数の群をなし、該複数の群が並列接続されたものであって、
前記第２の発光部は、前記第２の整流回路から出力された脈流電力を降下させて前記複数の第２の発光ダイオードに供給する電圧降下回路を有することを特徴とする請求項２記載の照明装置。
【請求項４】
前記複数の第１の発光ダイオードおよび前記複数の第２の発光ダイオードが、相互に入り込んで配列され、全体として１つの照明体を形成していることを特徴とする請求項１から３いずれか１項記載の照明装置。
【発明の詳細な説明】
【技術分野】
【０００１】
本発明は、照明装置に関する。
【背景技術】
【０００２】
近年、照明装置に発光ダイオード（ＬＥＤ）が導入されはじめている（例えば、特許文献１参照。）。このような照明装置の点灯装置として、交流電源を整流して脈流を得る整流回路と、この整流回路によって得られた脈流を平滑する平滑回路とを備えたＬＥＤ点灯装置が知られている（例えば、特許文献２参照。）。このＬＥＤ点灯装置における整流回路および平滑回路は、直流電源装置として機能しており、平滑回路には、整流回路に供給された交流電源による電圧変動を抑える為の大容量のキャパシタが必要とされる。平滑回路に用いられる大容量のキャパシタとしては、電解キャパシタ（ケミカルキャパシタ）が広く用いられている。しかし、電解キャパシタは、長時間使用するとＥＳＲ（等価直列抵抗）が増大して電解液がドライアップし、損失が増え発煙に至ることもある。この結果、照明装置に長寿命の発光ダイオードが用いられていても、キャパシタの寿命によって交換が必要となる。
【０００３】
電解キャパシタに比較して経年変化が無視できるほど少ないキャパシタとして、セラミックキャパシタが知られている。しかし、セラミックキャパシタは、電解キャパシタに比較して容量が小さい。このため、セラミックキャパシタを平滑回路に使おうとしても、実用的な構成の照明装置で許容される配備個数では、必要な容量を満たすことが出来ない。
【先行技術文献】
【特許文献】
【０００４】
【特許文献１】国際公開第０１／０４５４７０号パンフレット
【特許文献２】特開２００９−０３８９５４号公報
【発明の概要】
【発明が解決しようとする課題】
【０００５】
しかし、直流電源装置から平滑回路を除去してしまうと、発光ダイオードに脈流が供給される為、ちらつきが発生する。
【０００６】
ここで、例えば、照明装置において、商用の交流電源に対して接続され、脈流を得る第一の整流回路と、この商用の交流電源に対して移相回路を経由して接続され、位相差を有する脈流を生成する第二の脈流回路と、第一の整流回路および第二の脈流回路の双方に接続されこれら双方から供給された電力を合成して受けるＬＥＤを備えた構成が考えられる。この構成では、第一の脈流回路から供給される電力の位相と第二の整流回路から供給される電力の位相とが例えば９０°となる場合に、これら２つの電力が合成されることで、脈流の変動成分が抑えられ、ＬＥＤの発光のちらつきが抑えられると考えられる。
【０００７】
しかし、ＬＥＤの負荷状態は、定常状態と点灯直後では大きく異なり、また、温度条件によっても変動する。負荷状態が変動すると、第一の整流回路による電力と第二の整流回路による電力の位相差が変動し、相補的な位相関係からずれる場合がある。この場合、合成後の電圧のピーク値が増大し、発光ダイオードの発光輝度の変化幅が増大する不都合がある。この位相差の変動による輝度の変化幅を抑えようとすると、対策回路が必要となり、その分コスト高となる。
【０００８】
本発明は上記問題点を解決し、長寿命化し、かつ、負荷状態の変動による影響が抑えられた照明装置を提供することを目的とするものである。
【課題を解決するための手段】
【０００９】
上記目的を達成する本発明の照明装置は、商用の交流電源によって照明する照明装置であって、
複数の第１の発光ダイオードを有し、上記交流電源から受けた交流電力を用いてこの複数の第１の発光ダイオードを点灯させる第１の発光部と、
上記第１の発光部とは並列に接続された第２の発光部であって、複数の第２の発光ダイオードと、上記交流電源から受けた交流電力の位相を変化させ、位相が変化した交流電力をこの第２の発光ダイオードに向けて出力する移相器とを有する第２の発光部とを備えたことを特徴とする。
【００１０】
本発明の照明装置における、第２の発光部の第２の発光ダイオードは、第１の発光ダイオードが受ける電力の位相とは異なる位相の電力を受けるため、第１の発光ダイオードと異なる位相の周期で発光する。したがって、第１の発光ダイオードによる発光光と第２の発光ダイオードによる発光光とが光学的に合成された照明光は、供給された交流電力に起因するちらつきが抑えられる。位相を変化させるための移相器としてキャパシタを用いた場合、キャパシタの容量は、平滑のための容量に比べて小さいため、セラミックキャパシタが使用可能である。このため、本発明の照明装置は、平滑用の電解キャパシタを用いる必要がないため長寿命化する。また、本発明の照明装置によれば、第１の発光ダイオードによる発光光と第２の発光ダイオードによる発光光とが光学的に合成されるため、発光ダイオードの負荷変動により位相関係が変動しても、明るさの変動は目立たない。したがって、負荷状態の変動による影響が抑えられる。
【００１１】
ここで、上記本発明の照明装置において、
上記第１の発光部は、上記交流電源の交流電力を脈流電力に変換して上記複数の第１の発光ダイオードに向けて供給する第１の整流回路を備えたものであり、
上記第２の発光部は、上記移相器によって位相が変化した交流電力を脈流電力に変換して上記複数の第２の発光ダイオードに向けて供給する第２の整流回路を備えたものであることが好ましい。
【００１２】
整流回路によって脈流電力に変換された電力が発光ダイオードに供給されるので、発光ダイオードの個数あたりの発光効率が高まる。
【００１３】
また、上記本発明の照明装置において、
上記複数の第１の発光ダイオードは、互いに直列接続されたものであり、
上記複数の第２の発光ダイオードは、所定数ごとに直列接続された複数の群をなし、この複数の群が並列接続されたものであって、
上記第２の発光部は、上記第２の整流回路から出力された脈流電力を降下させて上記複数の第２の発光ダイオードに供給する電圧降下回路を有することが好ましい。
【００１４】
第２の発光部は、第２の発光ダイオードが、直列接続された複数の群が並列接続されたものであるため、直列に接続された第１の発光ダイオードを有する第１の発光部に比べて電流量が大きい。このため、第２の発光ダイオードとキャパシタによる位相を、第１の発光ダイオードと相補的な関係となる位相に調整しやすい。
【００１５】
また、上記本発明の照明装置において、上記複数の第１の発光ダイオードおよび上記複数の第２の発光ダイオードが、相互に入り込んで配列され、全体として１つの照明体を形成していることが好ましい。
【００１６】
１つの照明体からは、第１の発光ダイオードの発光光および第２の発光ダイオードの発光光が合成された、ちらつきが抑えられた照明光が照射される。
【発明の効果】
【００１７】
以上説明したように、本発明によれば、長寿命化し、かつ、負荷状態の変動による影響が抑えられた照明装置が実現する。
【図面の簡単な説明】
【００１８】
【図１】本発明の照明装置の第１実施形態を示すブロック図である。
【図２】図１に示した照明装置１のより具体的な構成例を示す第１の実施例の回路図である。
【図３】図１に示した照明装置１のより具体的な構成例を示す第１の実施例の回路図である。
【図４】位相差をより大きくした参考例の照明装置を示す回路図である。
【図５】図４に示す参考例の照明装置の各部における電圧・電流波形を示す図である。
【図６】位相差をより大きくした第２の実施例の照明装置を示す回路図である。
【図７】図６に示す照明装置の各部における電圧・電流波形を示す図である。
【図８】図６に示す照明装置の外観を示す斜視図である。
【図９】図８とは別のＬＥＤの配置バリエーションを説明する図である。
【図１０】図８とは別のＬＥＤの配置バリエーションを説明する図である。
【図１１】図８とは別のＬＥＤの配置バリエーションを説明する図である。
【図１２】本発明の照明装置の第２実施形態を示すブロック図である。
【図１３】本発明の照明装置の第３実施形態を示すブロック図である。
【発明を実施するための形態】
【００１９】
以下図面を参照して本発明の実施の形態を説明する。
【００２０】
図１は、本発明の照明装置の第１実施形態を示すブロック図である。
【００２１】
図１に示す照明装置１は、商用の交流電源Ｅからの電力で照明する装置である。照明装置１は、第１の発光部１１と第２の発光部１２とを備えており、これら第１の発光部１１と第２の発光部１２とは、交流電源Ｅに対し並列接続されている。
【００２２】
第１の発光部１１は、第１の整流回路Ｄ１と、電気的な負荷である第１のＬＥＤ部ＺＬ１とを備えている。第１の発光部１１における第１の整流回路Ｄ１は、交流電源Ｅの交流電力を脈流電力に変換して発光ＬＥＤ部ＺＬ１に向けて供給し、第１のＬＥＤ部ＺＬ１は、この供給された電力で駆動されて発光する。
【００２３】
第２の発光部１２は、移相器φ１と、第２の整流回路Ｄ２と、第２のＬＥＤ部ＺＬ２とを備えている。第２の発光部１２における移相器φ１は、交流電源Ｅから受けた交流電力の位相を変化させ、位相が変化した交流電力を第２の発光ＬＥＤ部ＺＬ２に向けて出力する。移相器φ１は、例えば、交流電源Ｅに直列に接続されたキャパシタであるが、インダクタも採用可能である。第２の整流回路Ｄ２は、移相器φ１によって位相が変化した交流電力を脈流電力に変換して第２のＬＥＤ部ＺＬ２に向けて供給する。第２のＬＥＤ部ＺＬ２は、この供給された電力で駆動されて発光する。
【００２４】
第１のＬＥＤ部ＺＬ１、および第２のＬＥＤ部ＺＬ２のそれぞれは、平滑化されていない脈流によって発光するため、発光光も脈流の波形に応じて明るさが変化する。より具体的には、ＬＥＤ部Ｚｌ１，ＺＬ２のそれぞれは、点滅を繰返す。しかし、第１のＬＥＤ部ＺＬ１に供給される脈流と第２のＬＥＤ部ＺＬ２に供給される脈流との間には、移相器φ１によって位相差が生じている。このため、第１のＬＥＤ部ＺＬ１と第２のＬＥＤ部ＺＬ２とは、互いに異なる位相の周期で点滅する。つまり、点滅のタイミングが互いにずれる。このため、第１のＬＥＤ部ＺＬ１による発光光と第２のＬＥＤ部ＺＬ２による発光光とが光学的に合成された照明光は、交流電源Ｅの交流のよりも高い周波数を有し、移相器φのない構成と比べてちらつきが抑えられる。また、移相器φとして例えばキャパシタが採用された場合、移相器φにおける位相を変化させるためのキャパシタの容量は、平滑のための容量に比べて小さいため、電解キャパシタではなくセラミックキャパシタが使用可能である。したがって、照明装置１は、平滑用の電解キャパシタを用いた照明装置に比べ長寿命化する。
【００２５】
図２は、図１に示した照明装置１のより具体的な構成例を示す第１の実施例の回路図である。
【００２６】
図２に示す照明装置２は、電圧１００Ｖの交流電圧を出力する交流電源Ｅから電力の供給を受けて照明光を発光する。照明装置２は、第１の発光部２１と第２の発光部２２とを備えている。第１の発光部２１は、第１の整流回路Ｄ１と、電流制御回路ＲＧ１と、第１のＬＥＤ部ＺＬ１とを備えている。第２の発光部２２は、移相器Ｃ１として、交流電源Ｅと直列に接続されたキャパシタを備え、さらに第１の発光部２１と同様に、第２の整流回路Ｄ２と、電流制御回路ＲＧ２と、第２のＬＥＤ部ＺＬ２とを備えている。
【００２７】
第１の整流回路Ｄ１および第２の整流回路Ｄ２のそれぞれは、４つのダイオードからなるダイオードブリッジを有しており、全波整流によって、第１の整流回路Ｄ１および第２の整流回路Ｄ２のそれぞれに供給された交流を、その交流の２倍の周期を有する脈流に変換する。例えば、交流電源Ｅから供給される交流の周波数が５０Ｈｚの場合、第１の整流回路Ｄ１および第２の整流回路Ｄ２のそれぞれは、周波数が１００Ｈｚの脈流を出力する。第１のＬＥＤ部ＺＬ１および第２のＬＥＤ部ＺＬ２のそれぞれは、直列に接続された３０個のＬＥＤを有している。電流制御回路ＲＧ１，ＲＧ２は、ＬＥＤに流れる電流を制御する回路であり、例えば抵抗である。ただし、ＬＥＤには、電源投入直後の、消灯状態から点灯するまでの過渡状態において非常に大きな電流が流れる。また、ＬＥＤは、温度変化に起因する内部抵抗の変化によって流れる電流が変動する。電流制御回路ＲＧ１，ＲＧ２は、電流の量が予め定められた定格値を超えないように電流を制限する公知の電流制限回路（リミッタ）を有することがより好ましい。
【００２８】
例えば、各ＬＥＤの定格電流が１０ｍＡで、順方向電圧Ｖｆが２Ｖの場合に、電流制御回路ＲＧ１，ＲＧ２が、直列に接続された３０個のＬＥＤからなるＬＥＤ部に流れる電流を１０ｍＡに制御するとき、電流制御回路ＲＧ１，ＲＧ２における電圧降下は４０Ｖである。
【００２９】
第２の発光部２２の移相器Ｃ１は、セラミックキャパシタであり、交流電源から受けた交流電力の位相を変化させて第２の整流回路Ｄ２に供給している。キャパシタの容量は例えば２．２μＦであり、この程度の容量であれば、電解キャパシタではなくセラミックキャパシタが採用可能である。
【００３０】
図３は、図２に示す照明装置の各部における電圧・電流波形を示す図である。図３には、上から順に、Ｘ点すなわち交流電源Ｅの出力電圧、Ｙ点すなわち第１の整流回路Ｄ１およびＺ点すなわち第２の整流回路Ｄ２の出力電圧、Ｙ点すなわち第１の整流回路Ｄ１の出力電流、そして、Ｚ点すなわち第２の整流回路Ｄ２の出力電流が示されている。
【００３１】
図３に示すように、Ｙ点およびＺ点での電圧は、Ｘでの電圧の波形が全波整流されたものである。また、第１の発光部２１におけるＹ点での電流の位相は、Ｙ点での電圧の位相に一致している。この一方で、第２の発光部２２におけるＺ点での電流の位相は、Ｙ点での電流の位相に比べ進んでいる。この進み分の位相角θは、ＬＥＤの定格電流が１０ｍＡで、順方向電圧Ｖｆが２Ｖであり、交流電源Ｅの交流周波数が５０Ｈｚの場合、次のように算出される。
・第２のＬＥＤ部ＺＬ２の実抵抗
６０Ｖ  ／  １０ｍＡ  ＝  ６０００Ω
・Ｃ１のリアクタンス
１  ／  （２×３．１４×５０Ｈｚ×２．２Ｆ×１０−６）  ＝  １４４７．６Ω
・よって、位相角θ
ｔａｎ−１（１４４７．６  ／  ６０００）  ＝  １３．６ｄｅｇ
したがって、図２に示す照明装置２における、第２のＬＥＤ部ＺＬ２の発光輝度の変化は、第１のＬＥＤ部ＺＬ１の発光輝度の変化よりも１３．６°進んでいる。変化の位相差は、１３．６°であるが、輝度が０になる点は互いにずれるため、第１のＬＥＤ部ＺＬ１の発光光と第２のＬＥＤ部ＺＬ２の発光光との合成光はちらつきが低減する。
【００３２】
ここで、２つのＬＥＤ部の発光の位相差をより大きくした参考例と実施例とについて説明する。
【００３３】
図４は、位相差をより大きくした参考例の照明装置を示す回路図である。
【００３４】
図４に示す参考例の照明装置３は、図２に示す第１の実施例の照明装置２と比べ、第２のＬＥＤ部ＺＬ３２が直列接続された６個のＬＥＤで構成されており、電流制御回路ＲＧ２の代わりに電圧制限回路ＲＧ３２が備えられている点が異なり、残りの構成は図２に示す照明装置２と同じである。図２に示す照明装置２と同じ要素には、同じ符号を付す。
【００３５】
この参考例における第２のＬＥＤ部ＺＬ３２は、直列接続されたＬＥＤの数が６であり、第２のＬＥＤ部ＺＬ３２に供給される電圧が１２Ｖで各ＬＥＤの定格に達する。
【００３６】
電圧制限回路ＲＧ３２は、ＬＥＤの電流を定格値にするため、第２のＬＥＤ部ＺＬ３２に出力する電圧の最大値を降下させている。電圧制限回路ＲＧ３２は、より詳細には、第２の整流回路Ｄ２から供給されてくる脈流の電圧波形を、所定の電圧でスライスして出力する回路である。より詳細には、第２の整流回路Ｄ２から供給されてくる脈流の、電圧が１２Ｖを超える部分については、１２Ｖを第２のＬＥＤ部ＺＬ３２に出力する。電圧制限回路ＲＧ３２としては、例えば、１２Ｖを超える電圧分の電力を無効電流として入力側に帰還するレギュレータが好ましい。電圧制限回路ＲＧ３２として、仮にスイッチングレギュレータといったＤＣ−ＤＣコンバータを用いると、後に説明するように第２のＬＥＤＺＬ部３２の実抵抗が（１００Ｖ／１２Ｖ）倍に増加し、位相角の増加に貢献しないからである。電圧制御回路は本発にいう電圧降下回路の一例に相当する。
【００３７】
図５は、図４に示す参考例の照明装置の各部における電圧・電流波形を示す図である。図５には、上から順に、Ｘ点すなわち交流電源Ｅの出力電圧、Ｙ点すなわち第１の整流回路Ｄ１およびＺ点すなわち第２の整流回路Ｄ２の出力電圧、Ｙ点すなわち第１の整流回路Ｄ１の出力電流、そして、Ｚ点すなわち第２の整流回路Ｄ２の出力電流が示されている。
【００３８】
図５に示すように、第２の発光部３２におけるＺ点での電流の位相は、Ｙ点での電流の位相すなわちＺ点での電圧の位相に比べ進んでいる。この進み分の位相角θは、次のように算出される。
・第２のＬＥＤ部ＺＬ３２の実抵抗
１２Ｖ  ／  １０ｍＡ  ＝  １２００Ω
・Ｃ１のリアクタンス
１  ／  （２×３．１４×５０Ｈｚ×２．２Ｆ×１０−６）  ＝  １４４７．６Ω
・よって、位相角θ
ｔａｎ−１（１４４７．６  ／  １２００）  ＝  ５０．３ｄｅｇ
したがって、図４に示す参考例の照明装置３では、第２のＬＥＤ部ＺＬ３２の発光輝度の変化は、第１のＬＥＤ部ＺＬ１の発光輝度の変化よりも５０．３°進んでいる。変化の位相差は、図２に示す第１の実施例の照明装置２より９０°に近いため、輝度が０になる点とピークになるタイミングがより均等に分散する。
【００３９】
ただし、図４に示す参考例の照明装置３では、第１のＬＥＤ部ＺＬ１が３０個のＬＥＤを有するのに対し、第２のＬＥＤ部ＺＬ３２が６個のＬＥＤを有するため、合成光におけるちらつきは改善しない。
【００４０】
図６は、位相差をより大きくした第２の実施例の照明装置を示す回路図である。
【００４１】
図６に示す照明装置４は、図２に示す第１の実施例の照明装置２と比べ、第２のＬＥＤ部ＺＬ４２の接続構成と、電流制御回路ＲＧ２の代わりに電圧制限回路ＲＧ４２が備えられている点とが異なり、残りの構成は図２に示す照明装置２と同じである。図２に示す照明装置２と同じ要素には、同じ符号を付す。
【００４２】
この第２の実施例における第２のＬＥＤ部ＺＬ４２は、第１のＬＥＤ部ＺＬ１と同じ３０個のＬＥＤで構成されている。しかし、第２のＬＥＤ部ＺＬ４２は、ＬＥＤが６個ごとに直列接続された５つの群をなし、５つの群が並列接続された構成となっている。
【００４３】
第２のＬＥＤ部４２におけるＬＥＤの直列接続数は６である。ＬＥＤの電流を定格値にするため、電圧制限回路ＲＧ４２によって出力される電圧の最大値が１２Ｖに制限されている。電圧制限回路ＲＧ４２の具体的な構成は、上述した参考例の電圧制限回路ＲＧ３２と同じであるので、これ以上の説明は省略する。
【００４４】
図７は、図６に示す照明装置の各部における電圧・電流波形を示す図である。図７には、上から順に、Ｘ点すなわち交流電源Ｅの出力電圧、Ｙ点すなわち第１の整流回路Ｄ１およびＺ点すなわち第２の整流回路Ｄ２の出力電圧、Ｙ点すなわち第１の整流回路Ｄ１の出力電流、そして、Ｚ点すなわち第２の整流回路Ｄ２の出力電流が示されている。
【００４５】
図７に示すように、第２の発光部４２におけるＺ点での電流の位相は、Ｙ点での電流の位相すなわちＺ点での電圧の位相に比べ進んでいる。この進み分の位相角θは、次のように算出される。
・第２のＬＥＤ部ＺＬ４２の実抵抗
１２Ｖ  ／  １０ｍＡ  ／  ５＝  ２４０Ω
・Ｃ１のリアクタンス
１  ／  （２×３．１４×５０Ｈｚ×２．２Ｆ×１０−６）  ＝  １４４７．６Ω
・よって、位相角θ
ｔａｎ−１（１４４７．６  ／  ２４０）  ＝  ８０．６ｄｅｇ
したがって、図６に示す参考例の照明装置４では、第２のＬＥＤ部ＺＬ４２の発光輝度の変化は、第１のＬＥＤ部ＺＬ１の発光輝度の変化よりも８０．６°進んでいる。変化の位相差は、図２に示す第１の実施例の照明装置２および参考例の照明装置３よりも９０°に近いため、輝度が０になる点とピークになる点がより均等に分散する。すなわち、第１のＬＥＤ部ＺＬ１と第２のＬＥＤ部ＺＬ２とが、より均等な時間間隔で交互に点滅する。このため、第１のＬＥＤ部ＺＬ１の発光光と第２のＬＥＤ部ＺＬ２の発光光との合成光はちらつきが低減する。
【００４６】
上述した各実施例の照明装置では、第１のＬＥＤ部の発光光と第２のＬＥＤ部の発光光とが合成された合成光のちらつきが抑えられる。移相器としてのキャパシタの容量が小さいため、容量は大きいものの寿命の短い電解キャパシタに比べ、寿命の長いセラミックキャパシタを使用することができる。また、位相の異なるエネルギーの合成が電気的でなく、光学的に行われるため、例えば環境変化や経時変化に起因して第１のＬＥＤ部と第２のＬＥＤ部に供給される波形の位相関係が変動しても、ちらつきが抑えられるとともに、ＬＥＤに加わる電圧が過剰になって寿命を縮めたりする事態が回避される。
【００４７】
なお、上述した実施例では、ＬＥＤ部を構成するＬＥＤの数が３０個と説明したが、本発明にいう発光ダイオードの数は、３０未満でもよく、あるいは３０を超えるものであってもよい。また、キャパシタの容量値は、２．２μＦと説明したが、容量値は、電源の電圧値、ＬＥＤの特性、ＬＥＤの個数、および、個数によって適宜調整されるものである。
【００４８】
続いて、照明装置の各形状について説明する。
【００４９】
図８は、図６に示す照明装置の外観を示す斜視図である。
【００５０】
図８に示す照明装置４は、白熱電球状の照明体をなしており、白熱電球と同様の金口４５を有している。図８に示す照明装置４は、一般的な電球ソケットに、白熱電球の代わりに装着することで、金口４５から商用の交流電力を得る。また、照明装置４には、ＬＥＤ４０１，４０２と、回路基板４６とが備えられている。ＬＥＤ４０１，４０２は、金口４５の反対側に、環状に１列に並んで配置されている。ＬＥＤ４０１，４０２は、図６に示す第１のＬＥＤ部ＺＬ１を構成するＬＥＤ４０１と、第２のＬＥＤ部ＺＬ４２を構成するＬＥＤ４０２とが互いに入り込んで配置されている。図８は、ＬＥＤの配置を概略的に示しているが、実際にはＬＥＤ４０１とＬＥＤ４０２とは、それぞれ３０個ずつ合計６０個配置されている。回路基板４６には、図６に示す移相器Ｃ１、第１の整流回路Ｄ１、第２の整流回路Ｄ２、第１のＬＥＤ部ＺＬ１、および電圧制限回路ＲＧ４２が実装されている。図８に示す照明装置４は、第１のＬＥＤ部ＺＬ１を構成するＬＥＤ４０１と、第２のＬＥＤ部ＺＬ４２を構成するＬＥＤ４０２とが交互に配置されているので、ちらつきが低減される。もちろん回路基板４５とＬＥＤ固定基板は一体化の場合も考えられる。
【００５１】
図８には、ＬＥＤが、環状に１列に並んで配置された例を示したが、ＬＥＤの配置はこれに限られるものではない。
【００５２】
図９、図１０、および図１１は、図８とは別のＬＥＤの配置バリエーションを説明する図である。
【００５３】
図９に示す配置例では、回路基板５１上に、第１のＬＥＤ部ＺＬ１（図６参照）を構成するＬＥＤ５０１と、第２のＬＥＤ部ＺＬ４２（図６参照）を構成するＬＥＤ５０２とが、直線上に、互いに入り込んで１列に配置されている。ＬＥＤ５０１とＬＥＤ５０２とは、それぞれ導体パターンによって直列に接続されている。
【００５４】
図１０に示す配置例では、第１のＬＥＤ部ＺＬ１（図６参照）を構成するＬＥＤ６０１と、第２のＬＥＤ部ＺＬ４２（図６参照）を構成するＬＥＤ６０２とが、２つの同心円上に互いに入り込んで配置されている。
【００５５】
図１１に示す配置例では、第１のＬＥＤ部ＺＬ１（図６参照）を構成するＬＥＤ７０１と、第２のＬＥＤ部ＺＬ４２（図６参照）を構成するＬＥＤ７０２とが、平面上の格子点上に配列されている。ＬＥＤ７０１とＬＥＤ７０２とは市松模様のように互いに入り込んで配置されている。
【００５６】
これまで説明した実施形態および実施例では、移相器としてのキャパシタを有する第２の発光部と、移相器を有さない第１の発光部とを備えた照明装置について説明した。続いて、移送器としてインダクタを備えた発光部を含む３つの発光部を備えた第２の実施形態を説明する。
【００５７】
図１２は、本発明の照明装置の第２実施形態を示すブロック図である。
【００５８】
図１２に示す照明装置８は、第１の発光部８１と第２の発光部８２に加え、第３の発光部８３を備えており、これら第１の発光部１１と第２の発光部１２と第３の発光部８３とは、交流電源Ｅに対し並列接続されている。照明装置８のうち、第１の発光部８１および第２の発光部８２の部分は、図８に示した照明装置４と同様である。ただし、図１２に示す照明装置８の第２の発光部８２は、図８に示した照明装置４の第２の発光部４２とは、キャパシタＣ８の容量が異なる。
【００５９】
図８に示した第３の発光部８３は、移相器としてインダクタＬ８を有している。第２の発光部８２は、キャパシタＣ８に起因してＬＥＤの発光輝度変化の位相が進むのに対し、第３の発光部８３は、インダクタＬ８に起因してＬＥＤの発光輝度変化の位相が遅れる。照明装置８における、キャパシタＣ８の容量値およびインダクタＬ８のインダクタンス値は、第２の発光部８２のＬＥＤの発光の位相が、第１の発光部８１のＬＥＤの発光の位相より約６０°進み、かつ、第３の発光部８３のＬＥＤの発光の位相が、第１の発光部８１のＬＥＤの発光の位相より約６０°遅れる値に設定される。
【００６０】
図１２に示す照明装置８によれば、各発光部８１，８２，８３のＬＥＤの発光光が合成された光の輝度変化の周波数がさらに高まり、ちらつきが抑えられる。
【００６１】
これまで説明した実施形態および実施例では、整流回路としてダイオードブリッジを備えた照明装置について説明したが、続いて、整流回路を有しない第３の実施形態を説明する。
【００６２】
図１３は、本発明の照明装置の第３実施形態を示すブロック図である。
【００６３】
図１３に示す照明装置９は、第１の発光部９１と第２の発光部９２とを備えている。第１の発光部９１には、ダイオードブリッジが備えられていない。第１の発光部９１の発光ダイオード部ＺＬ９１は、２つのＬＥＤ群９１１，９２２を有しており、ＬＥＤ群９１１，９２２のそれぞれは、直列に接続されたＬＥＤからなる。２つのＬＥＤ群９１１，９２２は、極性が逆になるように並列接続されている。第１のダイオード部ＺＬ９１に交流が供給されると、交流周期の半分の期間では、２つのＬＥＤ群のうちの一方が発光し、残り半分の期間では他方が発光する。この構成は、第２の発光部９２の発光ダイオード部ＺＬ９２が有する２つのＬＥＤ群９２１，９２２についても同様である。
【００６４】
また、図１２、図１３などでは３群や４群のＬＥＤを交互に点灯させるので、図８から図１１にて説明したと同様に各群のＬＥＤをほぼ均等な間隔やレイアウトで配置する事は容易に推測できる。
【符号の説明】
【００６５】
１，２，４，８，９    照明装置
１１，２１，４１，８１，９１    第１の発光部
１２，２２，４２，８２，９２    第２の発光部
９１１，９２２    ＬＥＤの群
φ１，Ｃ１，Ｃ８    移相器
Ｄ１    第１の整流回路
Ｄ２    第２の整流回路
Ｌ８    インダクタ
ＺＬ１，ＺＬ９１    第１のＬＥＤ部（複数のＬＥＤ）
ＺＬ２，ＺＬ４２，ＺＬ９２    第２のＬＥＤ部（複数のＬＥＤ）
【図１】
2011171116.tif 000003
【図２】
2011171116.tif 000004
【図３】
2011171116.tif 000005
【図４】
2011171116.tif 000006
【図５】
2011171116.tif 000007
【図６】
2011171116.tif 000008
【図７】
2011171116.tif 000009
【図８】
2011171116.tif 000010
【図９】
2011171116.tif 000011
【図１０】
2011171116.tif 000012
【図１１】
2011171116.tif 000013
【図１２】
2011171116.tif 000014
【図１３】
2011171116.tif 000015